(57)【要約】      （修正有）【課題】シリンダヘッドの排気ポート側に設けたＥＧＲ通路の凹み溝用蓋板の剛性を高めて，気密性の向上を図る。【解決手段】シリンダヘッド１の左右両側面のうち排気ポート３が開口する一方の側面４に，凹み溝１７を，その一端が前記排気ポートに，その他端が吸気系への排気ガス還流通路１６に各々連通するように設け，この凹み溝を，前記一方の側面に接合される排気マニホールド９における接合用フランジ板１１に一体に設けた蓋板１９に，当該蓋板を凹み変形して成る膨らみ部２１を，前記凹み溝に沿って延びるように設ける。【選択図】図１
2011043096.tif 000002
【特許請求の範囲】
【請求項１】
内燃機関のシリンダヘッドにおける左右両側面のうち排気ポートが開口する一方の側面に，クランク軸の方向に延びる凹み溝を設け，この凹み溝の一端を，前記一方の側面において前記排気ポート内に，この凹み溝の他端を，前記シリンダヘッドにその一方の側面から他方の側面に延びるように設けた排気ガス還流通路に各々連通する一方，前記一方の側面に接合される排気マニホールドにおける接合用フランジ板には，前記一方の側面に沿って延びるように延長した蓋板を一体に設け，前記凹み溝を，この蓋板にて塞ぐことにより，密閉した流れ通路に構成して成る排気ガス還流装置において，
前記蓋板に，当該蓋板を前記シリンダヘッドにおける一方の側面から離れるように凹み変形して成る膨らみ部を，前記凹み溝に沿って延びるように設けたことを特徴とする内燃機関における排気ガス還流装置。
【発明の詳細な説明】
【技術分野】
【０００１】
本発明は，内燃機関において，その排気ガスのクリーン等を図るために，その排気ガスの一部を吸気系に還流する装置に関するものである。
【背景技術】
【０００２】
先行技術としての特許文献１及び２には，
「内燃機関のシリンダヘッドにおける左右両側面のうち排気ポートが開口する一方の側面に，クランク軸の方向に延びる凹み溝を設け，この凹み溝の一端を，前記一方の側面において前記排気ポート内に，この凹み溝の他端を，前記シリンダヘッドにその一方の側面から他方の側面に延びるように設けた排気ガス還流通路に各々連通する一方，前記一方の側面に接合される排気マニホールドにおける接合用フランジ板には，前記一方の側面に沿って延びるように延長した蓋板を一体に設け，前記凹み溝を，この蓋板にて塞ぐことにより，密閉した流れ通路に構成して成る排気ガス還流装置。」
が提案されている。
【先行技術文献】
【特許文献】
【０００３】
【特許文献１】特開２００１−３４２９０７号公報
【特許文献２】特開２００２−１０６４２０号公報
【発明の概要】
【発明が解決しようとする課題】
【０００４】
この先行技術によると，排気ガス還流経路の一部を構成する凹み溝を，シリンダヘッドを鋳造する際に，その一方の側面に凹み形成することができるから，部品点数の低減，スペースの縮小化及び軽量化等を図ることができる。
【０００５】
しかし，その反面，前記凹み溝を塞ぐ蓋板は，排気マニホールドにおける接合用フランジ板から延長して突出するという構成であることにより，この蓋板における板厚さ方向へ剛性は，前記接合用フランジ板における板厚さ方向への剛性に比べて著しく低いから，当該蓋板にて前記凹み溝を塞ぐ場合における気密性を確保することのために，この蓋板のシリンダヘッドに対する締結用ボルトの本数を多くしなければならず，しかも，前記排気マニホールドにおける接合用フランジ板及びこれに一体の蓋板を金属板製にした場合に，前記蓋板の部分に排気ガスの脈動に起因して膜振動が発生して，これにより騒音が大きくなるという問題があった。
【０００６】
しかも，前記凹み溝とこれを塞ぐ蓋板とによって形成される流れ通路における通路断面積を大きくするには，前記凹み溝の深さを深くするか，或いは，シリンダヘッドの一方の側面と前記蓋板との間にスペーサを挟むようにしなければならないが，前者の方法は，シリンダヘッドに前記深い凹み溝を設ける場合の鋳造加工又は機械加工を困難にするという問題があり，後者の方法は，部品点数を増大を招来するという問題があった。
【０００７】
本発明は，これらの問題を解消した排気ガス還流装置を提供することを技術的課題とするものである。
【課題を解決するための手段】
【０００８】
この技術的課題を達成するため本発明は，請求項１に記載したように，
「内燃機関のシリンダヘッドにおける左右両側面のうち排気ポートが開口する一方の側面に，クランク軸の方向に延びる凹み溝を設け，この凹み溝の一端を，前記一方の側面において前記排気ポート内に，この凹み溝の他端を，前記シリンダヘッドにその一方の側面から他方の側面に延びるように設けた排気ガス還流通路に各々連通する一方，前記一方の側面に接合される排気マニホールドにおける接合用フランジ板には，前記一方の側面に沿って延びるように延長した蓋板を一体に設け，前記凹み溝を，この蓋板にて塞ぐことにより，密閉した流れ通路に構成して成る排気ガス還流装置において，
前記蓋板に，当該蓋板を前記シリンダヘッドにおける一方の側面から離れるように凹み変形して成る膨らみ部を，前記凹み溝に沿って延びるように設けた。」
ことを特徴としている。
【発明の効果】
【０００９】
この構成によると，凹み溝及び蓋板とで形成される流れ通路における通路断面積を，前記蓋板に凹み変形して成る膨らみ部を前記凹み溝に沿って延びるように設けることによって大きくできるから，この際の，シリンダヘッドにおける鋳造加工又は機械加工の困難性を増加したり，或いは，部品点数を増加したりすることを確実に回避できる。
【００１０】
しかも，前記蓋板に凹み変形して成る膨らみ部を前記凹み溝に沿って延びるように設けることによって，前記蓋板における板厚さ方向の剛性を大幅に向上できるから，前記蓋板にて前記凹み溝を塞ぐ場合における気密性を，当該蓋体のシリンダヘッドに対する締結用ボルトの本数を多くすることがない状態のもとで確実に確保することができ，しかも，前記排気マニホールドにおける接合用フランジ板及びこれに一体の蓋板を金属板製にした場合に，前記蓋板の部分に排気ガスの脈動に起因して膜振動が発生すること，ひいては，騒音が大きくなることを確実に低減できる。
【図面の簡単な説明】
【００１１】
【図１】シリンダヘッドの要部を示す一部切欠平面図である。
【図２】図１のII−II視断面図である。
【図３】図２のIII −III 視断面図である。
【図４】図２のIV−IV視断面図である。
【発明を実施するための形態】
【００１２】
以下，本発明の実施の形態を，図１〜図４の図面について説明する。
【００１３】
これらの図において，符号１は，複数の気筒を備えた内燃機関におけるシリンダヘッドを示す。
【００１４】
このシリンダヘッド１には，前記各気筒における燃焼室２からの排気ポート３が，当該シリンダヘッド１における左右両側面４，５のうち一方の側面４に開口するように設けられているほか，前記燃焼室２への吸気ポート６が，前記左右両側面４，５のうち他方の側面５に開口するように設けられている。
【００１５】
この場合，前記排気ポート３は，平面視（図１）において，一つの燃焼室２に対する二つの排気弁７から前記一方の側面４への一つの開口部８に合流する形状である。
【００１６】
前記シリンダヘッド１における一方の側面４には，前記排気ポート３に対する排気マニホールド９が，その間にシール用のガスケット１０を挟んで接合されている。
【００１７】
この排気マニホールド９は，前記シリンダヘッド１に対して複数本のボルト１２にて締結される接合用フランジ板１１と，このフランジ板１１のうち前記排気ポート３に連通するように溶接にて接合した複数本の排気管１３とに構成されており，前記接合用フランジ板１１は，金属板製であり，その上辺及び下辺には，外向きに折り曲げて成るリップ１４を一体に設けることにより，前記接合用フランジ板１１における板厚さ方向の剛性を高くするように構成している。
【００１８】
また，前記シリンダヘッド１における左右両側面４，５のうち他方の側面５には，図示していないが，前記吸気ポート６に対する吸気マニホールドが接合されている。
【００１９】
更にまた，前記シリンダヘッド１の内部には，従来から良く知られているように，冷却水ジャケット１５が形成されているほか，このシリンダヘッド１におけるクランク軸線方向に沿った端部の部分には，前記一方の側面４から他方の側面５に向かって延びるように構成した排気ガス還流通路１６が形成されている。
【００２０】
前記シリンダヘッド１における一方の側面４のうち前記排気ポート３の開口部８と前記排気ガス還流通路１６との間の部分には，凹み溝１７が，クランク軸線の方向に延びるように凹み形成されている。
【００２１】
前記凹み溝１７は，前記シリンダヘッド１の鋳造の際に，鋳物型にて同時に形成されるか，或いは，前記シリンダヘッド１を鋳造したあとにおける機械加工によって形成されるものであり，その一端部１７ａは，前記排気ポート３に，前記シリンダヘッド１の鋳造後に機械加工にて穿設される通孔１８を介して連通している一方，他端部１７ｂは，前記排気ガス還流通路１６に連通している。
【００２２】
この場合，前記凹み溝１７は，図２に示すように，その一端部１７ａが他端部１７ｂよりも低い部位に位置するように傾斜していて，この内部に，凝縮水が溜まることがないような構成になっている。
【００２３】
一方，前記排気マニホールド９における接合用フランジ板１１には，前記凹み溝１７を塞ぐようにした金属板製の蓋板１９が，前記一方の側面４に沿って延びるように延長して一体に設けられており，この蓋板１９は，その周囲における適宜個所に配設したボルト２０により前記シリンダヘッド１に対して締結されている。
【００２４】
そして，前記蓋板１９には，当該蓋板１９を前記シリンダヘッド１における一方の側面４から離れるように凹み変形して成る膨らみ部２１が，前記凹み溝１７に沿って延びるように設けられている。
【００２５】
この場合，図示した実施の形態においては，前記膨らみ部２１における一端部２１ａの内面には，図２に示すように，前記通孔１８に対する傾斜面２１ａ′が設けられていて，この傾斜面２１ａ′によって，前記通孔１８から前記凹み溝１７への排気ガスの流れをより円滑にするという構成にしているほか，前記膨らみ部２１における一端部２１ａと，前記接合用フランジ板１１における上下のリップ１４とは，適宜長さＬの分だけオーバーラップしている。
【００２６】
この構成において，前記燃焼室２から排気ポート３を介して排気マニホールド９に排出される排気ガスの一部は，前記通孔１８を通り，前記蓋板１９に塞がれた前記凹み溝１７に入り，この凹み溝１７から前記排気ガス還流通路１６を介して吸気系に還流される。
【００２７】
この場合，前記凹み溝１７を塞ぐ前記蓋板１９には，凹み変形して成る膨らみ部２１が前記凹み溝１７に沿って延びるように設けられていることにより，前記凹み溝１７とこれを塞ぐ蓋板１９とで形成される流れ通路の断面積を大きくできるとともに，前記蓋板１９におけるその板厚さ方向の剛性を大幅に向上できる。
【００２８】
また，前記した実施の形態のように，前記膨らみ部２１における一端部２１ａと，前記接合用フランジ板１１における上下のリップ１４とを，適宜長さＬの分だけオーバーラップすることにより，前記接合用フランジ板１１に対する前記蓋板１９の板厚さ方向の剛性を一層に向上できる。
【符号の説明】
【００２９】
１                      シリンダヘッド
２                      燃焼室
３                      排気ポート
４                      一方の側面
５                      他方の側面
９                      排気マニホールド
１１                    接合用フランジ板
１２                    接合用ボルト
１３                    排気管
１４                    リップ
１６                    排気ガス還流通路
１７                    凹み溝
１８                    通孔
１９                    蓋板
２０                    接合用ボルト
２１                    膨らみ部
【図１】
2011043096.tif 000003
【図２】
2011043096.tif 000004
【図３】
2011043096.tif 000005
【図４】
2011043096.tif 000006